Podtech/llm-jp-corpus-v4-ja_patent huggingface dataset:
(57)【要約】【課題】従来のプロセッサのキャッシュメモリではキャッシュミスヒットを起こしてから、メモリ(又は外部記憶からの)リードを行っていたため、単一プログラムとして停止時間が発生していた。そこで、本発明では単一プログラムでの停止時間をなくす事を課題とする。 【解決手段】CPUに「アドレスXXXX〜ZZZZをキャッシュメモリへリード」する命令を追加する。同CPU用のコンパイラにアドレスXXXXが必要になるアドレス(時刻)より一定アドレス(時刻)前に「アドレスXXXX〜ZZZZをキャッシュメモリへリード」命令をコンパイル後のプログラム(マシン語またはアセンブラ言語)に追加させる。 【選択図】なし【特許請求の範囲】
【請求項１】
CPUに「アドレスXXXX〜ZZZZをキャッシュメモリへリード」する命令を追加する。
【請求項２】
アドレスXXXXが必要になるアドレス(時刻)より一定アドレス(時刻)前に「アドレスXXXX〜ZZZZをキャッシュメモリへリード」命令をコンパイル後のプログラム(マシン語またはアセンブラ言語)に追加するコンパイラ。
【発明の詳細な説明】
【技術分野】
【０００１】
本発明はプロセッサのプログラム実行におけるキャッシュミスヒット時にキャッシュメモリへ読み込みのためプログラムが停止する時間を回避する技術である。
【背景技術】
【０００２】
従来の方法では、キャッシュミスヒットを起こしてからメモリ(又は外部記憶)からキャッシュメモリへデータ(プログラム)の読み込みを行うため、メモリ(又は外部記憶)の動作遅延時間がそのままプログラムの停止時間になっていた。
【０００３】
マルチプロセス等、別のプログラムを走らせる等でプロセッサ停止時間を隠蔽する方法はあったが、単一プログラムとしては停止時間が発生し処理が遅れる問題があった。
【発明の概要】
【発明が解決しようとする課題】
【０００４】
従来のプロセッサのキャッシュメモリではキャッシュミスヒットを起こしてから、メモリ(又は外部記憶からの)リードを行っていたため、単一プログラムとして停止時間が発生していた。そこで、本発明では単一プログラムでの停止時間をなくす事を課題とする。
【課題を解決するための手段】
【０００５】
上記課題を解決するために、CPUに「アドレスXXXX〜ZZZZをキャッシュメモリへリード」する命令を追加する。同CPU用のコンパイラにアドレスXXXXが必要になるアドレス(時刻)より一定アドレス(時刻)前に「アドレスXXXX〜ZZZZをキャッシュメモリへリード」命令をコンパイル後のプログラム(マシン語またはアセンブラ言語)に追加させる。
【発明の効果】
【０００６】
本発明は次のような効果を奏する。
CPUはキャッシュメモリに対して事前にリード命令を実行することにより、アドレスXXXXが必要になる前にキャッシュメモリへアドレスXXXXを準備する事ができ、CPUは待ち時間なく次の命令を実行する事ができる。
【発明を実施するための形態】
【０００７】
CPUに「アドレスXXXX〜ZZZZをキャッシュメモリへリード」する命令を追加する。同CPU用のコンパイラには必要になるアドレス(時刻)より一定アドレス(時刻)前に「アドレスXXXXをキャッシュメモリへリード」命令をコンパイル後のプログラム(マシン語またはアセンブラ言語)に追加させる。
【先行技術文献】
【非特許文献】
【０００８】
【非特許文献１】中森章著  「マイクロプロセッサ・アーキテクチャ入門」CQ出版社  (２００９，８，１)P103〜126
(57)【要約】【課題】上部の水槽の水が水車を回して下部の水槽に落ちた水で発電された電気でポンプを回し又上の水槽に戻す、それの繰り返しである【目的】水力発電をコンパクトにして平地や町でも簡単に発電所を作る事である【構成】限られた水を巡回させる事によりコンパクトに出来る【選択図】図１
2015045318.tif 000002
【特許請求の範囲】
【請求項１】
少量の水を巡回させて発電させる物である
【発明の詳細な説明】
【発明の詳細な説明】
【０００１】（産業上の利用分野）
この考案は、コンパクトで少ない水力を利用して発電する事に関する
【背景技術】
【０００２】従来、原子力、水力火力、太陽光等が有った
【課題】
【０００３】（これは、次の次点が有った）
▲１▼  原子力は、放射能が漏れたりしたら動物や生物等の莫大な被害をもたらしている
▲２▼  火力、ＣＯを出し地球の温暖化の大きな問題である、風力は風が無い時は、発電しないし太陽光は、雨の日や曇りの日は発電しない
▲３▼  水力発電は大量な水（ダム）が必要だった
本考案は、これらの次点を除くためになされたものである
【課題を解決するための手段】
【０００４】水で水車を回して発電させて上から下に落ちた水をポンプで上に戻す
本考案は、以上のような構成よりなる発電機である
【作用】
【０００５】一度使用した水を何度も繰り返し使用できる事である
【実施例】
【０００６】以下、本案の実施例について説明する  上の水槽から下の水車を回して電気を作りその電気で下の水槽からポンプで上の水槽に戻す。それの繰り返しである
【考案の効果】
本案は以上のような構造でありダムなど大規模な物は必要無く平地や町の中でも簡単にどこでも作れる事である
【図面の簡単な説明】
【０００７】
【図１】平面図の説明  ▲１▼  水車  ▲２▼  歯車  ▲３▼  モーター  ▲４▼  水の受皿  ▲５▼  バッテリー  ▲６▼  水中ポンプ  ▲７▼  上部水槽  ▲８▼  下部水槽  ★上部水槽から水を流して▲１▼の水車を回し▲４▼の受皿で受けて又、下の水車をまわす。★▲１▼の水車を回して▲２▼の歯車を回し▲３▼のモーターを回して電気を作り▲５▼のバッテリーに電気を貯める。★数個の水車で作られた電気で▲６▼水中ポンプで、又上部水槽に汲み上げて、又下の水車を回す、それの繰り返しである
【図１】
2015045318.tif 000003
(57)【要約】【課題】広大な面積をドリルで地表より地中に向けて所定の深さまで穴を開ける作業時間がどれ位かかるのかによって工事の費用が大きく左右される。【解決手段】ドリルで穴を開ける装置は多軸のドリルマシーンを使用することで、地表よりボール盤で所定の深さまで穴を開けるように大量の穴を一度の動作で開けることが可能となる。その専用のマシーンを移動しながら穴を開けるために専用車両に搭載することで任意の位置に素早く移動することが可能になり、穴あけ作業時間の短縮となる。【特許請求の範囲】
【請求項１】
多軸のドリルで穴を開けるための機械を搭載した専用車両にてグラウンドの地表より透水性の一番良い最下部の砂利層までドリルで穴を開ける。その穴には透水性を回復させる為サイズを揃えた透水性の良い特殊砂を埋め戻す。地中より掘り出されて地表に排出された土砂は、専用のスイーパーの搭載された車両で回収されて残土として処理するのではなく、もう一度表土として再利用する工事工法。
【請求項２】
本発明は請求項１のとおり穴あけによって開けられた穴に埋め戻す砂として、最も流動性を確保して埋め戻し工程の作業効率を上げる為に砂自体を焼くことにより水分を無くする。この焼き砂は雑草等の種子が混入していたとしても熱をかけていることで発芽することが無くなる安全な砂となる。また残土として処理しなければならない地中より排出された土砂はグランド施設から移動する事無くその場で表土として再利用する工期と工事費用を抑えることが可能になる工事工法。
【発明の詳細な説明】
【技術分野】
【０００１】本発明は野球場やサッカー場等野のスポーツ施設で透水性が極端に落ちて、多少の雨でも練習や試合に支障をきたす施設がかなり多くなっているのが現状であるグラウンド等の透水性を回復し、工事期間や工事工費等を抑えることが出来て、尚且つ廃棄しなければならない残土の処理も無い様に行えるエコロジーな工法の技術。
【背景技術】
【０００２】そもそもグラウンド等のスポーツ施設は多少の雨でも使用が可能な設計になっている。造成工事の工程で一番下の面には砂利や軽石といった極端に透水性の良い材料で排水を行う。その上には目の粗い砂から徐々に地表にかけて目の細かい砂等で覆われる。地表には砂の成分に土の成分が混じっている真土といった材料が使われているのが一般的である。【０００３】その地表では常に人がかける負荷や圧力又は雨風等で受ける影響で地表は硬く絞まってくる。その地表の硬化により極端に透水性は低下するのである。【０００４】地表を重機等で攪拌して軟らかくしてその表面をもう一度平坦に仕上げる方法も有るが、一時的な対策に過ぎない。透水性を根本から治すのであれば、地表より数十ｃｍから数ｍにおよぶ土砂の入れ替えが必要になる為、工事経費がかなりかかってしまう。
【先行技術文献】
【０００５】
【特許文献】
【特許文献】特開平  １１−１６６１８１
【発明の概要】
【発明が解決しようとする課題】
【０００６】本来な土砂の入れ替えが透水性を確保するには一番良いのであるが、工事費用がかなりの高額となる。学校やスポーツ施設ではこの土砂の入れ替え工事で予算を確保することが厳しい状況では低コストの工事が要求される。
【課題を解決するための手段】
【０００７】本発明は重機で施設を掘り返す事無く、本工事専用の穴あけ用機械で地表より透水性の良い最下部の砂利等が敷き詰められている層まで縦穴をほり、そこへ透水性の良い特殊な砂を埋め戻すことで地表より最下部の砂利層まで排水が容易に出来る。【０００８】その穴は透水性を最大限回復する為の計算されたピッチで最小限の数の穴を開ける。そして地中から掘り出した土砂は表土の材料に再利用する。
【発明の効果】
【０００９】本発明は施設内に大型の重機を運び込んで地表から土砂を掘り返すことが無い為工事の期間が短縮できる。必要最低限の穴を開けることで埋め戻しに必要な特殊砂の量を抑えることが出来る。穴あけの為に地中から掘り出された土砂は通常残土として処理されるのではあるが、本工法はこの残土も最終的に地表の表土に混ぜて使用することで捨てずに再利用することが可能なエコロジーを追求した工事が可能になる。【００１０】土砂の運搬に必要な車両が極端に減らすことが可能であるので車両運搬経費が節約できる。必要最低限の数で穴を開けるため、埋め戻しに必要な特殊砂に掛かる経費も最低限の費用に押さえることが可能になる。残土が発生した場合には、残土処理費用も必然的に発生するが、本工事は残土として処理する事無く表土に混ぜることで概ね再利用することが出来る。以上のことから本工事は各種の経費を節約できるため、工事期間の短縮と、経費の節約が可能になる。
【実施例】
【００１１】個々の現場によって最下の砂利層までの距離に差があるため、ドリルで地表からの深度確認の為の調査ボーリングを行う。一旦その深度が決定したら、専用のドリル穴あけ機を移動可な車両に搭載した専用機をグラウンドの地表にセットして穴あけを開始する。一定のピッチにてドリルで開けられた穴にサイズを揃えた透水性の良い砂を埋め戻す。その際埋め戻しの作業性を考え流動性の良いものが求められるので、熱処理をかけて水分を飛ばした特殊な焼き砂を使用する。その焼き砂は雑草の種も熱処理により焼ききるため発芽しない。この焼き砂を用いるのが本工事の埋め戻しに最適な特殊な砂と考えられる。そしてその焼き砂を投入後には透水性を最大に確保する為に特殊な綿状で成型されたシートをドリルで穴を開けて砂を埋め戻した後にフタをする。その後最終的に表土で多い被せる工程である。シートでフタをする目的は、表土から排水用の穴に向かって微砂が流れ出て穴の中に伝って行区事を防ぎ、排水効果が高める為である。更に穴あけにより地中より排出された土砂は、穴あけ終了と同時に専用のスイーパー等で拾い集めて地表の表土に再利用する。
【産業上の利用可能性】
【００１２】本発明は野球場等のスポーツ施設の透水性確保のみならず、地域の公園や幼稚園・保育園・学校等の校庭及び多目的広場における水溜り透水性の改善に大きく利用が可能となる。
(57)【要約】      （修正有）【課題】脱皮大豆の微粉末から出来る、食感も味も十分なチーズスプレッド風味の食材を提供する。【解決手段】脱皮大豆による微粉大豆粉を常温の水に溶かし、大豆の微粉末の細胞に十分な水分を吸着させる為に、１０時間放置する。これを常圧で摂氏１００度で２０分加熱、フード・ミラーで微細化し、チーズ・スプレッド風豆腐の原料が出来上がる。凝固剤として一般の食酢や葡萄酒から出来たワインビニガー等を使用する。また大豆蛋白質の界面活性効果を活用して植物性脂質を添加して粘性を加えチーズスプレッド風の加工食品を製造する。【選択図】なし【特許請求の範囲】
【請求項１】
脱皮大豆による微粉大豆粉を常温の水に溶かし、大豆の微粉末の細胞に十分な水分を吸着させる為に、１０時間放置する。これを常圧で摂氏１００度で、２０分加熱する。
量的には微粉大豆粉１００グラムに対し、水４００グラムとする。これをフード・ミラーで微細化する。これでチーズ・スプレッド風豆腐の原料の出来上がり。
【請求項２】
出来上がったチーズスプレッド風豆腐の原料に対し、植物性油脂を添加し大豆蛋白質の界面活性効果を活用し、植物性油脂と蛋白質が水と混和する状態にする。
基本的には上記原料の全量５００グラムに対し白砂糖３グラム、食塩３グラム、食酢５グラムとする。この全量をフード・ミルで混和すればチーズスプレッド風豆腐ができる。
最後に植物性油を５０グラムを混和すれば、全体に粘性が増加し、食感が良くなり、更に美味になる。
【請求項３】
豆腐アイスクリームの作り方は、上記［請求項２］で出来たチーズ・スプレッド風豆腐をハンドミキサーでよく混ぜ、空気を混入させ、甘味と香料を適宜加えれば、アイスクリームの原料となる。
【請求項４】
ベーコン風味豆腐の作り方であり、［請求項２］で出来たチーズ・スプレッド風豆腐に対し、水と小麦の強力粉を混和し、食塩２％を添加。  これを良く練り、厚さ３センチ程度の餅の様な状態にする。  これをテフロン加工をした鍋やフライパンで適宜表面がうっすらと茶色になる程度に焼き上げ、これを燻製機で１０分程度燻蒸すれば、ベーコン風味豆腐の出来上がりである。  テフロン加工のフライパンで焼き上げれば、表面に脂質が付かないので、燻製の際に燻蒸が容易にできる。
【発明の詳細な説明】
【技術分野】
【０００１】本発明は微粉大豆粉の特殊加工法に関する。
【背景技術】
【０００２】従来の大豆から作られる豆腐やその加工品の製造には、にがりや硫酸マグネシューム、硫酸カルシューム、塩化カルシューム等の大豆蛋白質の凝固剤が多く使用されてきた。【０００３】しかしながら、従来の大豆蛋白質の凝固剤を使用すると、製品に苦味やえぐみが残りそれを除去する為に大量の水と時間と労力を必要としていた。それは同時に大豆固有のうまみの流出をともなっていた。本発明にはその必要性が無く、同時に、大豆固有のうま味を流出させる事も無い。【０００４】本発明は微粉大豆粉に十分な水分を吸着させ、熱処理をしてから蛋白質の界面活性作用を活用して、大豆の蛋白質に脂質を添加し、必要に応じて、蔗糖，食塩、食酢や葡萄酒かえあ出来たワインビニガーも含め更に必要に応じて各種調味料や香料を添加して、新しい食感と味覚を増加させた新しい食品添加物にしたものである。
【先行技術文献】
【特許文献】
【特許文献１】特許公開２０００−８８６５１
【特許文献２】特開平９−２６２０５４
【特許文献３】特許公開２００１−２６９１２９
【発明の概要】
【発明が解決しようとする課題】［大豆の蛋白質から作られる従来からの日本の豆腐は、水分含有量が多く、また製造過程で凝固剤として古来からにがり等の化学物質を使用している。結果豆腐には苦味やえぐみが残り、それを除去するために、販売用の最終製品としての豆腐を完成するためには大量の水と時間と労力を必要としてきた。これに対し、本発明は凝固剤として一般の食酢や葡萄酒から出来たワインビニガー等を使用している。  また大豆蛋白質の界面活性効果を活用して植物性脂質を添加して粘性を加えチーズスプレッド風の加工食品にしたもので、主食の米飯や各種のパンや麺類、或いは野菜類や獣肉、魚介類等他の食品へのトッピングとして使用できる様に加工することである］
【課題を解決する為の手段】
［脱皮大豆を使用した微粉大豆粉を、常温の水と混ぜて１０時閧程度漬け込み水分を十分を吸収させ、これをテフロン加工の厚手の鍋で２０分程度加熱処理する。加熱処理をする際には鍋底に焦げ付かないように木製のへらで混ぜ続けることが必要。
これが常温になったら、必要な調味料、香辛料を添加し、ミキサーでよく混和する。
よく混和したらフードミラーで更に微粉化する。        フードミラーで微粉化加工した大豆粉は、含有される蛋白質の界面活性作用が強く脂質とよく混和する。水分と蛋白質と脂質が混和すると、全体が粘性をもってくる。  これで新しいトッピング食品加工用の材料が出来上がる。
必要に応じて、更なる植物性油を添加し、食酢、砂糖、食塩、香料等を用途に応じて適宜加えれば良い。実際には、微粉大豆粉１００グラムを水４００グラムに混ぜ、１０時間程度吸水させ、摂氏１００度で約２０分間加熱し、基本材料とするのが良い］
【発明の効果】
［我国の豆腐製造技術は、紀元６３０年、日本の奈良時代に平城京から中国に派遣された遣唐使によって齎されたものと言われている。その後間も無く日本でも醤油の製造が始まり、それ以来現代に至るまで、豆腐は醤油で食べるものとの認識がずっと続いてきたのである。しかし第二次世界大戦終了と共に我国にも欧米型の食生活が導入され、我国の食生活にも変化が起こり始め、これに対応した各種日本産の食材の調理法にも各種変化が起こったのである。  本発明も、食指向の変化に対応した日本人向けの欧米型加工食品の製造を意図したものであり、新しい日本人の食指向に対応した新しい日本人向けの食品の製造、販売事業に大きな影響を及ぼす可能性が出てきている］
【発明を実施する為の形態】
［日本国内に多数存在する乳製品加工業者、一般の食品加工業者と提携するのが便法だが同時に欧米の菜食人種向け食材の製造・加工業者と提携するのも実現性の高い方法であろう。特に、厳しい菜食主義者であるヴィーガン・グループの多いアメリカやヨーロッパの業者との提携が望ましい］
【産業上の利用の可能性】
［各種食品加工業者による食品加工産業による本発明の利用が可能である。  この事業による加工品は基本的に植物性原料のみを使用しているので、習慣的伝統から植物性食品のみを食する人達や、同時に宗教的理由から動物性原材料を忌避する集団にも本発明は問題なく利用できる製造販売可能な産業になり得る。ヨーロッパ各国と北米アメリカ各国と合わせると総人口は１０億人。其のうち菜食主義者は２．５％といわれている。  これだけで、２５００万人である。  一方、インドでは紀元前１００年から、菜食主義者が多く、現在でも総人口１２億人の３１％が菜食主義者といわれている。  その人数は４億人になる。  中国では大乗仏教徒が多いと言われており、総人口１３億人のうち、２０％は菜食主義者であろう。  一方、イスラム教徒は、各種獣肉を忌避しており、結局本発明を産業上の利用が可能となる消費者数は、結局１０億人を越えるであろうと考えられるのが、現状である］
(57)【要約】      （修正有）【課題】常温で固まった餅を利用し、やわらかい餅の上にあんこを塗りまたはやわらかい餅をあんこで包んだあんころ餅を得る。【解決手段】切り餅、すなわち固まった餅とあんを混合をする。切り餅を細かくして、粒の状態にして、あんの中に入れてよく混ぜる。上記の切り餅とあんの混合物を袋や容器にいれ、電子レンジなどで加熱して、保存性の良いあんころ餅を得る。切り餅には、切断線を入れる。袋詰めと、切り餅を棒状にしたものを組み合わせて長期保存する。【選択図】図１
2015006158.tif 000002
【特許請求の範囲】
【請求項１】
切り餅とあんを混合をして得ることを特徴とする、切り餅入りあん。
【請求項２】
切り餅とあんを混合をして袋や容器に詰めたこを特徴とする、加熱用のあんころ餅。
【請求項３】
切り餅に、切断線を入れ。切り離しできるようにしたことを特徴とする、あんころ餅用の切り餅。
【発明の詳細な説明】
【技術分野】
【０００１】  本発明は、あんころ餅に関する。詳しくは、常温で固まった餅を利用したあんころ餅に関する。
【背景技術】
【０００２】  餅をあんこで包んだものが、「あんころ餅」である。やわらかい餅の上にあんこを塗り、または包む。
あんは、あんこなどともいう。（漢字で書けば餡、餡子である）【０００３】  あんころ餅は、柔らかい餅をつくり、それにあんを塗布や包むことで得る。【０００４】  出来立ての餅は、取り扱いが厄介である。しかし、餅は、常温になると固まるので、板状にして、切り餅として商品化される。
餅はカビが生えやすい問題があったが、無菌化包装などの包装技術進歩により解消し、餅はいつでも食べれる商品になった。【０００５】  固まった切り餅を電子レンジで加熱すれば、柔らかくなり粘りが出る。
【先行技術文献】
【０００６】
【特許文献１】特許公開２０１２−１７５９６１
【特許文献２】：特許公開２００７−１１０９３１
【特許文献３】実用新案公開平５−８４６７５
【特許文献４】登録実用新案第３１０４７６５号
【発明の開示】
【発明が解決しようとする課題】
【０００７】  本発明は、常温で固まった餅を、電子レンジで加熱により製造する、あんころ餅を求めた。
【課題を解決するための手段】
【０００８】切り餅、すなわち固まった餅とあんを混合をする。
切り餅を細かくして、粒の状態にして、あんの中に入れてよく混ぜる。
１センチ程度の粒にして、混合し均一化する。【０００９】上記で得た、切り餅とあんを混合物を袋や容器にいれ、電子レンジなどで加熱して、あんころ餅を得る。【００１０】または、請求項３のように、四角の切り餅に、切断線を入れる。切り離し棒状の切り餅を得る。
この切り餅とあんを組み合わせてもよい。
袋や容器に入れたあんに、棒状の切り餅を突き刺し混合し、加熱する。
切り餅は柔らかくなり、あんころとして食べることができる。
【発明の効果】
【００１１】  本発明は、電子レンジを利用し、作りたてのあんころ餅を得ることができる。
餅はあんの中にあり空気と触れにくいから、カビの問題も緩和できる。【００１２】  電子レンジ加熱で、餅がやわらかくなりあんと混合され、あんころを得る。
請求項１に記載の発明の効果としては、各種食用皮に包み、加熱して変り種のあんころ餅を提供できる。
例示すれば、ロールキャベツの具、蒸しぎょうざの具などである。
また、加熱したものを、お湯やコーヒーに入れて、ぜんざいを簡単に作れる。【００１３】  切り餅とあんを混合し袋に充填し、加熱するだけであんころ餅を得ることができる。電子レンジ利用により、短時間で加熱しあんころ餅を得ることができる。【００１４】請求項２記載の効果を述べる。袋の中で切り餅とあんが混合されているので、
加熱し、袋を開封すれば、あんころ餅を簡単に食べれる。餅がやわらかくなっており、あんと混ぜやすい。
このように、おいしさを味わえ、餅の保存性の問題をも緩和できる。【００１５】  つぶあん，こしあん以外の各種あんも、簡単にあんころ餅のあんとして利用できる。たとえば、下記に示すように
白あん，うぐいすあん，かぼちゃを使用したあん，苺を使用したあん，珈琲を加味したあん，焙煎黒ごまを使用したあん，焼きいもを使用したあん，梅干しを使用したあん，宇治抹茶を加味したあん，紫いもを使用したあん，粒入り栗きんとんを使用したあんなどを利用できる。
これらのあんと固まった餅を混ぜて袋に入れて電子レンジで加熱すれば容易に、各種のあんのあんころ餅を得ることができる。【００１６】請求項３に記載の発明の効果を述べる。
上記のようにあんは各種あり、この袋詰めと、切り餅を棒状にしたものを組み合わせることにより長期保存の商品にできる。
提供するとき、食べたいときに混ぜて電子レンジで簡単にあんころ餅を得ることができる。
【実施例１】
【００１７】  つぶあん５０グラムに対して、切り餅１枚２０グラムを細かく切り、共にポリ袋に入れる。
図１に示すように、あんの中に切り餅が入るようにする。
このものを電子レンジで１分３０秒加熱する。水蒸気が出やすいように、先が長めの袋が好ましい。
加熱後袋から取り出し箸で混ぜながら、できたてのあんころ餅を食べる。
【実施例２】
【００１８】あん５０グラムと、棒状に切り離せる切り餅２０グラムを用意する。
加熱用の大きな袋をも別に用意する。切り餅は棒状４本にする。
あんを袋に入れ、このあんに棒状の切り餅を突き刺しいれる。
袋の外から軽く混ぜる。電子レンジで加熱すれば、餅がやわらかくなりあんころを得る。
加熱により餅が膨らむので混合用の袋を別に組み合わせるのがよい。
【産業上の利用可能性】
【００１９】  電子レンジなどで加熱用の、長期保存できる、あんころ餅商品を提供できる。
以上のように、本発明は、産業上の利用可能性がある。
【図面の簡単な説明】
【００２０】
【図１】は、切り餅をあんに混合したことを示す正面図である。
【図２】は、棒状に切り離せる切断線入りの切り餅を示す正面図である。
【図３】は、棒状切り餅とあんを混合したことを示す正面図である。
【符号の説明】
【００２１】  １・・粒状の切り餅
１１・・切り餅、
１３・・棒状の切り餅、
２・・あん、
３・・切断線
４・・切断線のない部分。
【図１】
2015006158.tif 000003
【図２】
2015006158.tif 000004
【図３】
2015006158.tif 000005
(57)【要約】【課題】  病院の待合時間が長くなるようなとき、楽な姿勢にできるチェアーを提供する。【解決手段】病院の待合室に、リクライニングできるチェアーを設置する。長時間の待合が苦痛なときは、リクライニングチェアーに変化できる。もし仮眠しても、各リクライニングチェアーに、振動又は音声で、個別に呼び出し出来るものである。【選択図】図３
2015006301.tif 000002
【特許請求の範囲】
【請求項１】
リクライニングチェアーの一部に、振動又は音声で、呼び出し伝達できる。呼び出し装置付を特徴とする。待合室用リクライニングチェアー。
【請求項２】
本発明のリクライニングチェアーは、共用使用故、マクラ部を、切り捨てペーパーマクラの特徴とする、請求項第１項に記載の待合室用リクライニングチェアー。
【発明の詳細な説明】
【技術分野】
【０００１】本発明は，病院又は長時間の待合施設において、待合時間を、安心待機できる、リクライニングチェアーに関するものである。
【背景技術】
【０００２】  従来の，リクライニングチェアーは、個室使用が一般的で、大型で、付属機能も多くあった。（例えば、特許文献１）【０００３】また、リクライニングチェアーは、個室使用が一般的で連絡事項を伝達する必要はなかった。
【先行技術文献】
【特許文献】
【０００４】
【特許文献１】特開２００２−１７７０９３号公報
【発明の概要】
【発明が解決しようとする課題】
【０００５】本発明は、リクライニングチェアーを複数台一室に設置した場合は、小型化し、各リクライニングチェアーの連絡事項を伝達する必要が生じる。
本発明は、以上のような欠点をなくすものである。
【課題を解決するための手段】
【０００６】本発明は、一室に複数台のリクライニングチェアーを設置したときに、各リクライニングチェアー個々に連絡事項を伝達することができる。振動又は音声で、伝達する装置付リクライニングチェアーである。
【発明の効果】
【０００７】本発明は、病院の待合室用のチェアーである。身体を楽にしたい方は、リクライニングできるチェアーである。身体を少し傾斜することで、安静になれる。呼び出し番号を逃さないために、各リクライニングチェアーの一部に、振動又は音声で、個別呼び出しができる。
【図面の簡単な説明】
【０００８】
【図１】実施形態のリクライニングチェアーを説明するためのリクライニングチェアーの正面図。
【図２】同じくリクライニングチェアーの右側面図。
【図３】同じくリクライニングチェアーの斜視図。
【発明を実施するための形態】
【０００９】以下、本発明を実施するための形態について説明する。
病院の待合室チェアーをリクライニングチェアーにするもので、待ち時間が辛いときは、チェアーを、リクライニングすることができる。もし仮眠しても、各リクライニングチェアーに設置した、振動又は音声で、個別に呼び出しが伝達されるものである。普及にあたっては、リクライニングを使用する患者は限られると思われることから、寄贈、又は寄付金設置方式が普及の鍵と思われる。共用使用故ペーパーマクラとする。
【符号の説明】
【００１０】１  リクライニング背あて
２  切り捨てペーパーマクラ
３  リクライニングレバー
４  振動  音声装置
５  連絡装置入力プラグ
【図１】
2015006301.tif 000003
【図２】
2015006301.tif 000004
【図３】
2015006301.tif 000005
(57)【要約】【課題】これまで、様々な汚れを払拭するために、ティッシュペーパーを使用することが一般的であり、その場合多量の紙の箱が廃棄物として残り、環境問題として懸念されていた。  また、トイレットペーパーを縦に設置する商品では、その性質上、芯を外す必要が生じ、その作業が困難であり、その際に破れたトイレットペーパーが廃棄物となっていた。【解決手段】据え置きできる箱型の本体の片側面部に横向きの軸を儲け、本体上部に取り出し口を設け、本体側面部に設けた溝に、突起を設けた横蓋をはめ込み、本体上部の端に蓋軸を設けることで上蓋を取り付け、上蓋の先端に爪を設けたロールペーパーホルダー。【選択図】図１
2015006299.tif 000002
【特許請求の範囲】
【請求項１】
据え置きできる箱型の本体にトイレットペーパーを横向きに設置する器具を儲け、本体にトイレットペーパーの先端を取り出す穴を設け、本体の側面部にトイレットペーパーの装填部を儲けたロールペーパーケース。
【発明の詳細な説明】
【技術分野】
【０００１】  本発明は、生活雑貨に関するものである。
【技術背景】
【０００２】  様々な汚れを払拭する、ティッシュペーパーなるものがある。
また、トイレットペーパーを縦に収納し、ティッシュペーパーのように使用するための商品が知られている。
【先行技術文献】
【特許文献】
【０００３】
【発明の概要】
【発明が解決しようとする課題】
【０００４】  これまで、様々な汚れを払拭するために、ティッシュペーパーを使用することが一般的であり、その場合多量の紙の箱が廃棄物として残り、環境問題として懸念されていた。
また、トイレットペーパーを縦に設置する商品では、その特性上、芯を外す必要が生じ、その作業が困難であり、その際に破れたトイレットペーパーが廃棄物となっていた。
本発明は、以上の問題を解決するためのものである。
【課題を解決するための手段】
【０００５】    据え置きできる箱型の本体の片側面部に横向きの軸を設け、本体上部に取り出し口を設け、本体片側面部に設けた溝に、突起を設けた横蓋をはめ込み、本体上部の端に蓋軸を設けることで上蓋を取り付け、上蓋の先端に爪を設ける。
以上の構成よりなるロールペーパーケース。
【発明の効果】
【０００６】  従来、ティッシュペーパーを使用していた状況で、トイレットペーパーを使用することにより、残留する廃棄物を削減することができる。
ならびに、従来の縦置きのトイレットペーパーケースに比べ、容易にトイレットペーパーを交換することができる。
【図面の簡単な説明】
【０００７】
【図１】本発明の斜視図
【発明を実施するための形態】
【０００８】    以下、本発明の実施の形態を説明する。
（イ）据え置きできる箱型の本体（１）の片側面部に、棒状のペーパー軸（２）を横向きに設ける。
（ロ）本体（１）の上部に取り出し口（３）を設ける。
（ハ）端に突起（５）を設けた横蓋（４）を、本体（１）に設けた溝（６）にはめ込む。
（ニ）本体上部の片側面に蓋軸（７）を設け、上蓋（８）を取り付ける。
（ホ）上蓋（８）の先端に爪（９）を設ける。
本発明は以上のような構造である。
本発明を使用するときは、横蓋（４）を外した状態で、ペーパー軸（２）にトイレットペーパーの芯を通し、トイレットペーパーの紙の先端を取り出し口（３）の穴から外に出す。溝（６）に突起（５）をはめ込み、横蓋（４）を固定した状態で、取り出し口（３）から出ているトイレットペーパーの紙の先端を指でつまみ、引き出し、上蓋（８）を閉じ、爪（９）と本体（１）でトイレットペーパーの紙を挟み、ちぎる。
【符号の説明】
【０００９】  １本体、２ペーパー軸、３取り出し口、４横蓋、５突起、６溝、７蓋軸、８上蓋、９爪
【図１】
2015006299.tif 000003
(57)【要約】【課題】  蛇腹切りや菊花切りなど連続した細かく深い一定の切り込みを容易に入れられる飾り切りのための包丁補助具を提供する。【解決手段】  天板（１）の中心に接着したナット状の支柱（２）に、予め低ナット（５）を挿入した先端にストッパーになるツメ（４）を設けたボルト（３）を挿入することを特徴とする。【選択図】図１
2015006300.tif 000002
【特許請求の範囲】
【請求項１】
天板（１）に接着したナット状の支柱（２）に、予め低ナット（５）を挿入した半ねじのボルト（３）を挿入し、低ナット（５）で固定することを特徴とする飾り切り用包丁補助具。
【請求項２】
請求項１に記載の飾り切り用包丁補助具において半ねじのボルト（３）の先端部にストッパーとなるツメ（４）を設けたことを特徴とする飾り切り用包丁補助具。
【発明の詳細な説明】
【技術分野】
【０００１】  本発明は、蛇腹切りや菊花切りなど細かく深い切り込みを連続的に入れることによりできる飾り切り用包丁補助具に関するものである。
【背景技術】
【０００２】  従来、蛇腹切りなどをするとき、素材の手前と向こう側に割り箸や竹串など平行に置くことで素材を切り離す前にそれらにあたり切り込みを入れる、あるいは道具は用いず自分の手の感覚で包丁を留めることで切り込みを入れる、という方法が一般に知られている。
【先行技術文献】
【０００３】
【特許文献１】  特開平７−２１３７５９
【発明が解決しようとする課題】
【０００４】  従来の方法は、次のような欠点があった。
（イ）力加減が難しく包丁が割り箸や竹串にくい込んだりまたそれを避けようとするために切り込みが浅くなるなど切り込みの深さが一定しない。
（ロ）道具を用いず手の感覚だけで一定の深さの切り込みを入れるには技術を要し、かなりの訓練が必要になる。
本発明は、以上の問題点を解決するために発明されたものである。
【課題を解決するための手段】
【０００５】  天板（１）に接着したナット状の支柱（２）に、予め低ナット（５）を押入した半ねじのボルト（３）を挿入し、低ナット（５）で固定する。
半ねじのボルト（３）の先端部にストッパーとなるツメ（４）を設ける。
以上の構成よりなる飾り切り用包丁補助具である。
【発明の効果】
【０００６】  本発明の天板（１）を包丁の柄の下に当てがい支柱（２）を第三指・第四指間にはさんで包丁の柄と共に握り使用するとき、ツメ（４）がストッパーとなり包丁の刃が素材を切り離すことなく、一定した切り込みが容易に入れられる。ツメが水平にあることで切り込みも水平にできる。
ボルト（３）の回転の加減で支柱の高さが変わるので、切り込みの深さが調節できる。
【図面の簡単な説明】
【０００７】
【図１】  本発明の斜視図
【図２】  本発明の分解斜視図
【図３】  本発明を使用するときの側面図
【発明を実施するための形態】
【０００８】  以下、本発明を実施するための形態について説明する。
細長い天板（１）の中心にナット状の支柱（２）を接着し、予め低ナット（５）を挿入した半ねじのボルト（３）を支柱（２）に挿入する。半ねじのボルト（３）の先端部に水平にストッパーとなるツメ（４）を設ける。
本発明は、以上のように構成されている。
【０００９】  天板（１）を包丁の柄の下に当てがい、支柱（２）を第三指・第四指間にはさんで天板（１）と包丁を握り、切り残したい分だけ包丁の刃よりツメ（４）が下になるように半ねじのボルト（３）を位置づけ低ナット（５）で固定する。
ツメ（４）がストッパーとなり刃より先にまな板に接するので常に素材を切り離さず、一定の切り残し部分ができるので、蛇腹切りや菊花切りなど飾り切りが容易にできる。
包丁の刃や柄の形状によって、ツメ（４）を手前に向け刃先をやや下向きにすると、水平に近い切り込みを入れることができる。
【００１０】  天板（１）は、包丁の柄にできるだけ密着させたいので薄い可撓性のある樹脂を、その他の部分は硬質の樹脂を用いることが好ましい。
ボルト（３）の先端から水平に接続したツメ（４）は、角を落とし滑らかにカットすることで包丁の刃先をスムーズに傾けることができる。
【符号の説明】
【００１１】    １  天板
２  支柱
３  ボルト
４  ツメ
５  低ナット
６  包丁の柄
７  包丁の刃
８  切り残し部分
【図１】
2015006300.tif 000003
【図２】
2015006300.tif 000004
【図３】
2015006300.tif 000005
(57)【要約】【課題】  オフィス、お店、工場などで用箋挟みを持ち、荷物をチェックするとき、めくったページを用箋挟みの下にめくり返して押さえていなくてもすむ対角クリップ付用箋挟みを提供する。【解決手段】  従来の長方形のボードを有する用箋挟みを縦長に置いた状態において、右上のコーナー部に斜めに傾けてクリップを取り付け対角クリップとし、ボードの右上、および、右下のコーナー部にフック掛け孔を設け、適度な長さの首掛け紐の両端に設置されたフックをフック掛け孔に通し掛け、ボードの下辺のほぼ全線にわたって滑り止めを設けることを特徴とする対角クリップ付用箋挟み。【選択図】図１
2015006779.tif 000002
【特許請求の範囲】
【請求項１】
従来の長方形のボードを有する用箋挟みを、縦長に置いた状態において、右上のコーナー部に斜めに傾けてクリップを取り付け、対角クリップとし、ボードの左上、および、右下のコーナー部にフック掛け孔を設け、適度な長さの首掛け紐の両端に設置されたフックを、フック掛け孔に通し掛け、ボードのド辺のほぼ全線にわたって滑り止めを設けることを特徴とする対角クリップ付用箋挟み。
【発明の詳細な説明】
【技術分野】
【０００１】  本発明はオフィス、お店、工場などで使用する対角クリップ付用箋挟みに関するものである。
【背景技術】
【０００２】  従来、オフィスなどで使用する用箋挟みは、書類などをめくると用箋挟みの裏までめくって、それがめくり戻らぬように手で押さえながら作業をしていた。
次のような用箋挟みが提案されている。（特許文献１、特許文献２、特許文献３参照）
【先行技術文献】
【特許文献】
【０００３】
【特許文献１】  特開２００６−３４６８８１号公報
【特許文献２】  特開２００４−５８５３７号公報
【特許文献３】  特開平９−１４２０７３号公報
【発明の概要】
【発明が解決しようとする課題】
【０００４】  そのために、次のような問題点があった。
オフィスや工場などで使用する用箋挟みは書類や荷物などをチェックしたときにページをめくるとめくり戻らないように絶えず手で押さえていなければならず、その分手がふさがってしまうのが避けられなかった。
本発明は、これらの問題点を解決されるためになされたものである。
【課題を解決するための手段】
【０００５】  従来の長方形のボードを有する用箋挟みを縦長に置いた状態において、右上のコーナー部に斜めに傾けてクリップを取り付け、対角クリップとし、ボードの左上、および、右下のコーナー部にフック掛け孔を設け、適度な長さの首掛け紐の両端に設置されたフックをフック掛け孔に通し掛け、ボードの下辺のほぼ全線にわたって滑り止めを設ける。
【発明の効果】
【０００６】  オフィスにお店に工場などで使用する用箋挟みは、荷物などをチェックしてページをめくったときも、それがめくり戻らないように用箋挟みの下に手で押さえ続けておく必要がなくなり、その分手が自由になって作業がスムーズにできる。
【図面の簡単な説明】
【０００７】
【図１】  本発明の平面図である。
【発明を実施するための形態】
【０００８】  以下、本発明の実施の形態について説明する。
従来の長方形のボード（１）を有する用箋挟みを縦長に置いた状態において、右上のコーナー部に斜めに傾けてクリップを取り付け対角クリップ（２）とし、ボード（１）の右上、および、右下のコーナー部にフック掛け孔（３）を設け、適度な長さの首掛け紐（４）の両端に設置されたフック（５）をフック掛け孔（３）に通し掛ける。
ボードの下辺のほぼ全線にわたって滑り止め（６）を設ける。
本発明は以上のような構成である。
本発明を使用するときは、オフィス、お店、工場などで作業中に書類やメモをボード（１）の右上のコーナー部に斜めに設けた対角クリップ（２）に挟む。
従来の用箋挟みは、ページをめくると用箋挟みの下にめくり返して手で押さえておかねばならなかったが、本発明は対角クリップ（２）付きなのでページをめくるだけで、めくったページを手で押さえておく必要はなく、ページの自重によっておのずとめくり戻ることがないので、その分両手が自由になり、作業効率が上がる。
また、首掛け紐（４）を首に掛ければボード（１）は手で保持せずとも、お腹との接触部面において、ほぼ水平を保つので書類への書き込み作業も楽になる。
その際に腹部に接触しているボード（１）の下辺には滑り止め（５）があるので、ボード（１）の安定性はより高くなり、両手を自由に使えて作業効率が確実にアップする。
【符号の説明】
【０００９】    １  ボード
２  対角クリップ
３  フック掛け孔
４  首掛け紐
５  フック
６  滑り止め
【図１】
2015006779.tif 000003
(57)【要約】      （修正有）【課題】無垢木材の表面保護のために使用される天然の酸化硬化性乾性油の劣化を防止する方法を提供する。【解決手段】亜麻仁油に代表される天然の酸化硬化性乾性油を主成分とするオイル成分を含浸させた布状の仕上げ材１を、ガス非透過シートにて少量ごとに個別包装２し使い捨てにする天然の酸化硬化性乾性油の劣化防止方法。【選択図】図１
2015006782.tif 000002
【特許請求の範囲】
【請求項１】
無垢木材による家具や床を保護する目的の仕上げ材であり、
亜麻仁油に代表される天然の酸化硬化性の乾性油を主成分とし、
合成樹脂、有機溶剤、ワックス成分を含まず、
仕上げ作業時に用いる布状の塗装用品に予め含浸された形状とし、
成分の劣化を招かず容易に開封できるガス非透過シートにて、
少量ごとに個別包装されている、ことを特徴とした、
利便性の高い、使い捨ての天然オイル仕上げ材。
【発明の詳細な説明】
【技術分野】
【０００１】本発明は、無垢木材用の、使い捨て天然オイル仕上げ材に関する。
家具、または床の、表面保護のための作業に供することを目的とする。
【背景技術】
【０００２】木製の家具、または床、の構成材料は、薄く加工した木材を層状に接着した合板と、木材を加工しただけの無垢木材と、に大きく分かれる。【０００３】無垢木材には、木材本来の質感や美観を得られる、
という長所がある。【０００４】無垢木材の表面保護の方法に、無垢木材の長所を損なわないために、
亜麻仁油に代表される天然の酸化硬化性の乾性油を主成分とし、
合成樹脂、有機溶剤、ワックス成分を含まない天然オイル仕上げがある。【０００５】前述の天然オイル仕上げは、劣化防止として金属缶等に保管されているオイルを、別途用意した布を使用し、木部に均一に塗布する作業によってなされる。
【発明の開示】
【発明が解決しようとする課題】
【０００６】前述の天然オイル仕上げによる保護層は摩擦や経年により失われるため、
全面、または部分的に、再塗布の必要がある。【０００７】少量の再塗布の場合は、金属缶のオイルを使いきれずに、再密封により保管するが、酸素の混入による劣化は避けられない。
また、金属缶の開閉工具、塗布の布を別途用意する必要があり、
また、塗布作業により汚れた布を、取り替えながら作業する必要があるなど、
利便性に欠ける。
【課題を解決するための手段】
【０００８】請求項１に記載する以下の無垢木材用の使い捨て天然オイル仕上げ材により、
課題を解決する。【０００９】無垢木材の家具や床を保護する目的の仕上げ材であり、
亜麻仁油に代表される天然の酸化硬化性の乾性油を主成分とし、
合成樹脂、有機溶剤、ワックス成分を含まず、
仕上げ作業時に用いる布状の塗装用品に予め含浸された形状とし、
成分の劣化を招かず容易に開封できるガス非透過シートにて、
少量ごとに個別包装されている、ことを特徴とした、
利便性の高い、無垢木材用の使い捨て天然オイル仕上げ材。
【発明の効果】
【００１０】本発明によれば当該仕上げ材は、塗布作業用の布と一体化されて提供されるため、合成樹脂、有機溶剤、ワックス成分を含まない天然オイル仕上げが容易に行える。【００１１】本発明によれば当該仕上げ材は、
成分の劣化を招かず容易に開封できるガス非透過シートにて包装されているため、使用と保管の両面において利便性が高い。【００１２】本発明によれば当該仕上げ材は、少量ごとに個別包装されているため、
作業に必要な分だけ開封し使い捨てとすることができ、
残りの保管分を劣化させることはなく、
また、用具の後片付けが不要であり、利便性が高い。
【発明を実施するための最良の形態】
【００１３】以下、本発明の実施の形態（実施例）を図面に基づいてより詳細に説明する。
図１は使用前の仕上げ材１の構成を説明するための概要図である。
仕上げ材１の仕様は以下である。
仕上げ材１はポリエチレン繊維による不織布を基材として、
亜麻仁油を主成分とした天然オイルを含浸させている。
仕上げ材１の寸法は、既存の掃除用ウェットシートと同一とする。
包装２はアルミ層を含む多層シートにより非ガス透過性能を持つ。
切り口３は包装２の開封を容易とする。
包装２には仕上げ材１が２枚、密封されている。【００１４】仕上げ材１は、切り口３から、包装２を、工具を使用せず容易に開封し、
仕上げ材１を取り出すことにより、容易に使用可能とする。
仕上げ材１を直接手に持ち、
または、図２で示すように既存のウェットシート掃除器具に固定し、
含浸されている天然オイルを、家具、または床の木部に、均一に塗布する。
無垢木材はその組織の中にオイルを吸収し、
組織内で酸化硬化した天然オイル成分が木部の表面保護層となる。【００１５】使用後は、仕上げ材１と包装２の両方を、可燃ごみとして容易に処分できる。
【図面の簡単な説明】
【００１６】
【図１】図１は、使用前の仕上げ材１の構成を説明するための概要図である。
【図２】図２は、使用時における仕上げ材１の概要図である。
【符号の説明】
【００１７】１    仕上げ材
２    包装
３    切り口
４    既存のウェットシート掃除器具
【図１】
2015006782.tif 000003
【図２】
2015006782.tif 000004
(57)【要約】【課題】タンク容量を変化させることで機械立ち上げ給油作業の工数を少なく、タンクの表面の放熱面積を大きくすることで冷却機などが不要となるコンパクトなタンク一体型パワーパッケージを提供する。【解決手段】タンク一体型パワーパッケージ１０は、フランジ１３の上部に取り付けた電動機１１と、前記フランジ１３に内蔵された油圧ポンプ１２と、前記フランジ１３の下部に取り付けた油圧タンク１４と、を備える。フランジ１３には、油圧ポンプ１２の吐出口１５と吸入口１６とを備え、吸入口１６には、先端にフィルター１８を取り付けた吸入配管１７が締結されている。【選択図】図１
2015052358.tif 000002
【特許請求の範囲】
【請求項１】
油圧ポンプと、電動機と、及び油圧タンクとが一体化されたタンク一体型パワーパッケージであって、
前記油圧タンクを容積変化させるジャバラ形状にすることを特徴するタンク一体型パワーパッケージ。
【発明の詳細な説明】
【技術分野】
【０００１】
本発明は、工作機械や車両に搭載される油圧ポンプ、電動機、タンクが一体化された油圧パワーパッケージのタンク構造に関するものである。
【背景技術】
【０００２】
従来、小型アクチュエータの油圧駆動源として、ポンプ、電動機で構成される油圧パッケージが種々提案されている。
【０００３】
さらに、例えば特許文献１のように後フランジの反前ケース側面に設けられ、後フランジを壁面とした液体を貯留する後ケースを備え、後フランジに設けられた前ケースと後ケースとを連通する連通穴を介して前ケースと後ケースとでタンクを形成し、フランジには前ケース又は後ケース面側に開口する吸入口と、外側面に外部の配管と接続可能にされた一以上の接続口が設けられ、前ケース又は後ケース又は後フランジのいずれかの上外側面に空気抜きが設けられている技術が本出願人によって提案されている（例えば、特許文献１参照。）。
【先行技術文献】
【特許文献】
【０００４】
【特許文献１】特開２００５−０３６７４４号公報
【発明の概要】
【発明が解決しようとする課題】
【０００５】
しかしながら、小型アクチュエータの油圧源として特許文献１のようなタンク一体型パワーパッケージを使用する場合は、例えばタンクの油量が少なく、機械側の立ち上げ運転時に必要に応じて給油作業が必要となる。
また、油量が少ないため、機械側の運転時の油温の上昇を抑えるために必要に応じて冷却機を設ける必要がある。
本発明は前記本出願人に係るタンク一体型パワーパッケージに関連してなされたもので、タンク容量を変化させることで機械立ち上げ給油作業の工数を少なく、油圧タンクの表面の放熱面積を大きくすることで冷却機などが不要となるコンパクトなタンク一体型パワーパッケージを提供することを目的とする。
【課題を解決するための手段】
【０００６】
前記課題を解決するため本発明は、油圧ポンプと、電動機と、及び油圧タンクとが一体化されたタンク一体型パワーパッケージであって、
前記油圧タンクを容積変化させるジャバラ形状にすることを特徴する。
本発明によれば、油圧タンクを容積変化させるジャバラ形状にすることで機械立ち上げ給油作業の工数を少なく、タンクの表面の放熱面積を大きくすることができる。
【発明の効果】
【０００７】
本発明は、油圧タンクを容量変化させることで機械立ち上げ給油作業の工数を少なく、油圧タンクの表面の放熱面積を大きくすることで冷却機などが不要となるコンパクトなタンク一体型パワーパッケージを提供することができる。
【図面の簡単な説明】
【０００８】
【図１】本発明の実施の形態に係るタンク一体型パワーパッケージの概略構造を示す断面図で、図（ａ）は油圧タンクが伸びた状態を示し、図（ｂ）は油圧タンクが収縮した状態を示す。
【発明を実施するための形態】
【０００９】
以下、本発明の実施の形態に係るタンク一体型パワーパッケージにつき好適な実施の形態を挙げ、添付図面を参照して詳細に説明する。
図１は、タンク一体型パワーパッケージ１０の外形図を示す。タンク一体型パワーパ
ッケージ１０は、フランジ１３の上部に取り付けた電動機１１と、前記フランジ１３に内蔵された油圧ポンプ１２と、前記フランジ１３の下部に取り付けた油圧タンク１４と、を備える。
【００１０】
フランジ１３には、油圧ポンプ１２の吐出口１５と吸入口１６とを備え、吸入口１６には、吸入配管１７が締結されている。参照符号１８は吸入配管１７の先端に取り付けられたフィルターを示す。
油圧タンク１４は例えば有底を有する円形のジャバラ形状であって、上方の開口部はフランジ１２の下面にボルト等のネジ部材１９で取り付けられている。
【００１１】
本発明の実施の形態に係るタンク一体型パワーパッケージ１０は基本的には以上のように構成されているで、機械取付時には、給油される油量（油の重さ）によって、ジャバラ形状の油圧タンク１４が伸び、該油圧タンク１４内の油量を多く収納することができる。
機械運転時には、油圧ポンプ１２により吐出された油は図示していない機械側のシリンダや配管・ホース内を充満し、油圧タンク１４内の油量は減る。油圧タンク１４内の油の量が減ることによって、タンク表面形状、すなわちジャバラ形状によるスプリング効果により、油面位置は機械取付時とおなじ位置とすることができ、また、機械側で余剰油量が発生した場合でも、タンク表面が伸びることで、油面位置を一定に保ち、油の吹きこぼれなどを防止することができる。
【００１２】
また、図１のように油圧タンク１４を垂直取り付けたときには、該油圧タンク１４の表面の形状でスプリング要素をもたすことより、油量が多い（荷重が大きい）時には図（ａ）に示すように油圧タンク１４の表面が伸び、油量が少ない（荷重が小さい）時には、図（ｂ）に示すように縮ませることができる。
さらに、油圧タンク１４の表面の表面積は大きくなることから、放熱性も向上することができ、冷却装置などの設置により、タンク内の油を冷やす必要をなくすことが出来る。
【符号の説明】
【００１３】
１０  タンク一体型パワーパッケージ    １１  電動機
１２  油圧ポンプ                      １３  フランジ
１４  油圧タンク                      １５  吐出口
１６  吸入口                          １７  吸入配管
１８  フィルター                      １９  ネジ部材
【図１】
2015052358.tif 000003